(57)【要約】【課題】外部配線との接続，操作盤などへの取付けに優れた操作性と、高い安全性が確保できるように組立構造を改良した操作用トランスを提供する。【解決手段】トランス本体１を下部ケース４とカバー５からなるモールドケース３に組み込んだ構成とし、ここで下部ケースにはトランス本体を固定するねじ座４ａ、ケースの前後両端に振り分けて入力，出力側の外部接続端子６を組付けるように相間隔壁４ｂで仕切った端子台４ｃ、および背面側には盤側の支持レールに嵌入して係止固定するレール溝４ｄを形成し、さらにケース本体１から引出した入力，出力側の口出しリード線１ｃ，１ｄと外部接続端子６との間を内部接続するために、各リード線に対応する配線パターンを形成したプリント板７と、該プリント板に一端を接合して他端を外部接続端子６に重ね合わせて端子ねじ６ａにより共締めする接続板８を備える。【選択図】      図１
2004152981.tif 000002
【特許請求の範囲】
【請求項１】
トランス本体をモールドケースに組み込んだ構成になり、前記モールドケースの前後両端部に入力および出力線を接続する外部接続端子を配置して該端子とトランス本体の口出しリード線との間を内部接続するとともに、モールドケースの底部裏面側にＵチャンネル形の支持レールに対応する取付部を備えたことを特徴とする操作用トランス。
【請求項２】
請求項１に記載の操作用トランスにおいて、モールドケースが下部ケースとカバーとの二分割構造になり、下部ケースのケース内底面にトランス本体を固定するねじ座を形成し、ケースの前後両端部には相間隔壁で仕切られた端子台を形成したことを特徴とする操作用トランス。
【請求項３】
請求項１に記載の操作用トランスにおいて、トランス本体の口出しリード線と外部接続端子との間を接続する内部接続手段として、各リード線に対応する配線パターンを形成したプリント板、および該プリント板に一端を接合し、他端を外部接続端子に重ね合わせて端子ねじで共締めする接続板を備えたことを特徴とする操作用トランス。
【請求項４】
請求項１に記載の操作用トランスにおいて、支持レールへの取付部として、モールドケースの底部背面に支持レールが嵌入する凹状のレール溝を形成するとともに、該凹溝に向け側方から出没して支持レールに係止する爪付きスライダを設けたことを特徴とする操作用トランス。
【発明の詳細な説明】
【０００１】
【発明の属する技術分野】
本発明は、制御機器に給電する電源用トランスとして操作盤，  制御盤などに搭載し、１００Ｖまたは２００Ｖの商用配電系統に接続して２次側から２４Ｖ程度に降圧した電圧を出力する小形容量の操作用トランスの組立構造に関する。
【０００２】
【従来の技術】
まず、本発明の実施対象となる操作用トランスとして図５に示すよう構成が知られている（例えば、非特許文献１参照。）。
図５において、１ａは鉄心、１ｂはコイル、１ｃ，１ｄはコイル１ｂから引出した入力側，出力側の口出しリード線、１ｅは取付ベース板であり、これらでトランス本体１を構成している。
そして、前記のトランス本体１を操作盤，  制御盤などに装備するには、前記した取付ベース板１ｅを盤内の支持台などにねじ２を用いて固定した上で、入力側，出力側の口出しリード線１ｃ，１ｄを盤内に配線した商用配電系統の入力線（ケーブル），負荷側機器に接続する出力線（ケーブル）を半田付けして接続するようにしている。
【０００３】
また、トランス本体と入力，出力線（ケーブル）との接続手段として、トランス本体１の頂部に端子台を組付けておき、この端子台に配した外部接続用の端子金具にトランス本体の入力，出力側のリード線１ｃ，１ｄを接続するようにした端子台付きの操作用トランスも知られている（例えば、非特許文献２参照。）。また、図５に示したトランス本体１を金属製のケースに収容した上で、ケースの端面に外部接続用の端子金具を設け、ベース板１ｅを取付け面にねじ止めして取り付けるようにしたものも知られている（例えば、非特許文献３参照。）。
【０００４】
【非特許文献１】
日本工業規格  ＪＩＳ  Ｃ６４３６（１９９５）電子機器用小形電源変圧器，表３  記号３の参考図
【非特許文献２】
オンラインカタログＱ３操作用変圧器、〔ｏｎｌｉｎｅ〕、２００２．０６．２１  更新、  富士電機、〔平成１４年１０月１１日検索〕、インターネット、＜ＵＲ  Ｌ：ｈｔｔｐ／／ｗｗｗ．ｆｕｊｉｅｌｅｃｔｒｉｃ．ｃｏ．ｊｐ／ｋｉｋｉ／ｅｄｃ／ｃａｔａｌｏｇ／ｃｏｎｔｅｎｔｓ／Ｑ０３．      ｈｔｍ  ＞
【非特許文献３】
日本工業規格  ＪＩＳ  Ｃ６４３６（１９９５）電子機器用小形電源変圧器，表３  記号１の参考図
【０００５】
【発明が解決しようとする課題】
ところで、前記した従来構成の操作用トランスは取扱い，安全性の面で次に記すような問題点がある。
（１）  操作盤などへのトランスの取付けにはねじを使用しているために、盤への装着，保守点検などでトランスを着脱する作業が面倒で手間がかかる。特に、最近では盤内に機器取付け用の支持レール（Ｕチャンネル形レール）を敷設しておき、この支持レールに配線用しゃ断器などの各種配電機器を一括して搭載するような取付け方式が普及しているが、従来構成の操作用トランスでは支持レールへの取付けに対応できない。
【０００６】
（２）  また、外部の入力線，出力線とトランス本体の口出しリード線，またはケース（金属ケース）の端面に露出して設けた端子とを接合する配線方法では、配線作業に手間が掛かるほか、充電部が露呈して安全性にも問題がある。
（３）  さらに、トランス本体をケースに入れずにそのまま盤内に設置すると、長期使用の間にトランス本体の表面に塵埃などが付着して絶縁が低下し、地絡，  短絡事故を引き起こすおそれもある。
本発明は上記の点に鑑みなされたものであり、その目的は前記課題を解決し、外部配線との接続，盤への取付けが楽に行える優れた操作性と、高い安全性が確保できるように組立構造を改良した操作用トランスを提供することにある。
【０００７】
【課題を解決するための手段】
上記目的を達成するために、本発明によれば、トランス本体をモールドケースに組み込んだ構成になり、前記モールドケースの前後両端部に入力および出力線を接続する外部接続端子を配置して該端子とトランス本体のリード線との間を内部接続するとともに、モールドケースの底部裏面側にＵチャンネル形支持レールに対応する取付部を備えた構成とし（請求項１）、具体的には次記のような態様で構成することができる。
（１）  モールドケースを下部ケースとカバーとの二分割構造となし、下部ケースのケース底面にトランス本体を固定するねじ座を形成し、ケースの前後両端部には相間隔壁で仕切られた端子台部を形成する（請求項２）。
【０００８】
（２）  トランス本体の口出しリード線と外部接続端子との間を接続する内部接続手段として、各リード線に対応する配線パターンを形成したプリント板、および該プリント板に一端を接合し、他端を外部接続端子に重ね合わせて端子ねじで共締めする接続板を備える（請求項３）。
（３）  レールへの取付部として、モールドケースの底部背面に支持レールが嵌入する凹状のレール溝を形成するとともに、該凹溝に向け側方から出没して支持レールに係止する爪付きスライダを設ける（請求項４）。
上記の構成によれば、トランス本体，および内部接続用の部品は全てモールドケースの内部に収納されていて充電部が露呈することがないので感電に対する安全性が高く、かつ長期間の使用でもトランス本体に塵埃などが付着して絶縁を劣化させるおそれもない。また、外部の入力線，出力線と操作用トランスとの配線は、モールドケースに装備した外部接続用端子（ねじ止め端子）を介して行うので半田付け作業が不要で簡単に接続できる。しかも、モールドケースにレールへの取付部として、ケースの底部背面に凹状のレール溝，係合爪付きのスライダを備えたことで、盤側に敷設した支持レールへの装着にもワンタッチ操作で簡単に対応できて取扱い性が大幅に向上する。
【０００９】
【発明の実施の形態】
以下、本発明の実施の形態を図１〜図４に示す実施例に基づいて説明する。
すなわち、図示実施例の操作用トランスは、図５に示したトランス本体１を図１で表すようにモールドケース３に収容して組み立てた構成になる。ここで、モールドケース３は下部ケース４にカバー５を組み合わせた二分割構造であり、下部ケース４にはトランス本体１のベース板１ｅをねじ２で収容位置に固定するためのねじ座４ａ、ケースの前後両端部に振り分けて入力側，出力側の外部接続用端子６を組付けけるように相間隔壁４ｂと組み合わせた端子台４ｃ、および底部の背面側には盤側に敷設した支持レールに取り付けるためのレール溝４ｄが形成されている。なお、カバー５を下部ケース４に被着結合するために、下部ケース４の側壁面には係合爪４ｅが、該係合爪４ｅに対向してカバー５の側壁面には係合爪に引っ掛けてクリック止めする係合穴５ａが形成されている。
【００１０】
また、前記の外部接続用端子６は、端子ねじ６ａと、端子ねじ６ａを嵌挿したコ字形の端子金具６ｂと、前記の端子台６ｃに装着して端子ねじ６ａと螺合し合うナット板６ｃとからなる。
さらに、外部接続用端子６とトランス本体１から引出した１次，２次側の口出しリード線１ｃ，１ｄとの間をモールドケース３の内方で接続するための手段として、図示実施例ではプリント板７と接続板８を備えている。ここで、プリント板７はその基板に口出しリード線１ｃ，１ｄを差し込むスルーホール７ａ、接続板８の上端を差込みスルーホール７ｂ、および双方のスルーホールを導通させる配線パターン（導体パターン）７ｃが形成されており、トランス本体１の上方に配置した上で前記の口出しリード線１ｃ，１ｄ，および接続板８の上端をスルーホールに差し込んで半田付けする。また、接続板８の下端は下部ケース４の端子台４ｃに延在して前記ナット板６ｃに重ね合わせ、端子ねじ６ａで共締めするようにしている。
【００１１】
図２は前記のモールドケース３にトランス本体１を収容した上で、プリント板７，接続板８を介してトランス本体１の口出しリード線１ｃ，１ｄと外部接続用端子６との間を内部接続し、さらに下部ケース４にカバー５を被着した操作用トランスの組立状態の外観図である。
一方、下部ケース３の底部背面側には、図３で示すように凹状レール溝４ｄの開口縁から溝内に突き出す係合爪４ｆ、および先端の爪部４ｇ−１をレール溝４ｄに向けて手動操作により出没させるスライダ４ｇを備えている。なお、スライダ４ｇはスプリング４ｇ−２で爪部４ｇがレール溝４ｄに突き出すよう付勢してケースに組み付けている。
【００１２】
そして、操作用トランスの組立体（図２参照）を操作盤などに装着するには、前記スライダ４ｇの爪をレール溝４ｄから後退させた上で、盤内に敷設した支持レール（Ｕチャンネル形レール）９にレール溝４ｄを嵌入する。ここで、スライダ４ｇから手を放すとスライダが突き出し、図４で示すように支持レール９の側縁に爪４ｆ，４ｇ−１を引っ掛けて定位置に係止固定される。続いて盤内に配線する電源側の入力線，負荷側の出力線をモールドケース３の前後両端部に分けて配置した外部接続端子６の端子金具６ｂと接続板８との間に差込み、端子ねじ６ａを締めつけて接続固定する。これで操作トランスの取付け作業が完了する。
【００１３】
なお、保守点検などで操作用トランスを盤から取り外すには、端子ねじ６ａを緩めて入力線，出力線との接続を外した上で、スライダ４ｇを後退操作して支持レール９から取り外す。
【００１４】
【発明の効果】
以上述べたように、本発明の構成によれば、トランス本体をモールドケースに組み込んだ構成とし、前記モールドケースの前後両端部に入力および出力線を接続する外部接続端子を配備して該端子とトランス本体のリード線との間を内部接続するとともに、モールドケースの底部裏面側に盤側に敷設したＵチャンネル形支持レールに嵌入して係止する取付部を備えたことにより、
トランス本体，および内部接続用の部品は全て絶縁物のモールドケースに収容されていて充電部が外部に露呈することがなく、高い安全性が確保できるとともに、長期間の使用でもトランス本体に塵埃などが付着して絶縁を劣化させるおそれもない。また、外部の入力線，出力線と操作用トランスとの接続は、モールドケースに装備した外部接続用端子を介して行うので半田付け作業が不要で簡単に接続できる。しかも、モールドケースにレールへの取付部を備えたことにより、スライダのワンタッチ操作で盤側に敷設した支持レールへの装着に対応できるなど、従来構成と比べて安全性，取扱い性が優れた操作用トランスを提供できる。
【図面の簡単な説明】
【図１】本発明の実施例による操作用トランスの分解斜視図
【図２】図１の組立状態を表す外観斜視図
【図３】図１におけるモールドケースの背面構造とともに表した操作用トランスを盤側の支持レールに取付ける際の手順の説明図
【図４】操作用トランスを支持レールに固定した状態を表す背面側から見た斜視図
【図５】操作用トランスの従来例の構成斜視図
【符号の説明】
１    トランス本体
３    モールドケース
４    下部ケース
４ａ  ねじ座
４ｂ  相間隔壁
４ｃ  端子台
４ｄ  レール溝
４ｆ  係合爪
４ｇ  スライダ
５    カバー
６    外部接続端子
７    プリント板
８    接続板
９    支持レール
【図１】
2004152981.tif 000003
【図２】
2004152981.tif 000004
【図３】
2004152981.tif 000005
【図４】
2004152981.tif 000006
【図５】
2004152981.tif 000007